(57)【要約】【課題】位相変調によってアドレス情報が記録されたウォブル信号に同期した基準クロックを精度良く生成できるようにする。【解決手段】検出回路１２は、位相変調によって記録されるアドレス情報が重畳されたウォブルデータを監視し、該ウォブルデータの位相変調部分がＰＬＬ回路１３へ入力される期間を検出する。そして、検出結果に応じた期間で立ち上げられるホールド信号Ｓ４を生成し、ホールド信号Ｓ４をＰＬＬ回路１３へ出力することによって、ＰＬＬ回路１３の出力を固定する。【選択図】      図１
2004253057.tif 000002
【特許請求の範囲】
【請求項１】
位相変調処理によって記録されるアドレス情報を含む所定周期のウォブル信号を取り込んで、前記ウォブル信号に同期したクロック信号を生成するクロック生成装置であって、
前記ウォブル信号と前記クロック信号との位相差に応じて発振クロックを生成し、該発振クロックを前記ウォブル信号に同期させて前記クロック信号として出力するＰＬＬ回路と、
前記ウォブル信号を監視して前記ウォブル信号中の前記アドレス情報が含まれる期間を検出し、その検出結果に応じて前記ＰＬＬ回路の発振出力を固定させる検出回路と
を備えたことを特徴とするクロック生成装置。
【請求項２】
前記検出回路は、
前記検出結果に応じて、それぞれ異なる期間で前記ＰＬＬ回路の発振出力を固定する第１及び第２のホールド信号を生成するホールド信号生成部と、
前記第１及び第２のホールド信号のうち何れか一方を前記ＰＬＬ回路へ選択的に出力する信号選択部と、
を備えることを特徴とする請求項１記載のクロック生成装置。
【請求項３】
前記第１のホールド信号は、
前記ウォブル信号の周期が変化する第１のタイミングから、該第１のタイミング以降で次に前記ウォブル信号の周期が変化する第２のタイミングまでの期間で前記ＰＬＬ回路の発振出力を固定することを特徴とする請求項２記載のクロック生成装置。
【請求項４】
前記第２のホールド信号は、
前記ウォブル信号の周期が変化するタイミングを始点として、少なくとも前記第１のホールド信号よりも長い任意の期間で前記ＰＬＬ回路の発振出力を固定することを特徴とする請求項２又は３記載のクロック生成装置。
【請求項５】
前記ウォブル信号に応じてカウント動作し、前記ウォブル信号中の前記アドレス情報が含まれる期間を推定して同期保護信号を出力する同期保護回路をさらに備え、
前記同期保護回路は、前記同期保護信号を前記検出回路に出力し、
前記検出回路は、前記同期保護信号を第３のホールド信号として前記ＰＬＬ回路へ出力することを特徴とする請求項１乃至４の何れか一項記載のクロック生成装置。
【請求項６】
前記ＰＬＬ回路は、
前記ウォブル信号と前記発振クロックとの位相差に応じた位相差信号を出力する位相比較器と、
前記位相差信号に応じた出力を行うチャージポンプと、を備え、
前記検出回路は、前記第１乃至前記第３のホールド信号の何れか一つを前記位相比較器及び前記チャージポンプの少なくとも一方に出力し、前記ＰＬＬ回路の発振出力を固定させることを特徴とする請求項５記載のクロック生成装置。
【請求項７】
前記発振クロックを所定の分周比率で分周して前記位相比較器へ出力する分周器をさらに備え、
前記ウォブル信号の周期に応じて前記分周器の分周比率を変更することを特徴とする請求項６記載のクロック生成装置。
【発明の詳細な説明】
【０００１】
【発明の属する技術分野】
本発明は、例えばディスク媒体の記録制御等に使用するクロックを生成するクロック生成装置に関する。
【０００２】
【従来の技術】
近年、記録媒体として光ディスク等のディスク媒体が普及してきている。こうしたディスク媒体の中には、データの記録が可能な媒体も存在する。例えば、ＤＶＤ−Ｒ（Ｄｉｇｉｔａｌ  Ｖｅｒｓａｔｉｌｅ  Ｄｉｓｃ−Ｒｅｃｏｒｄａｂｌｅ），ＤＶＤ−ＲＷ（Ｄｉｇｉｔａｌ  Ｖｅｒｓａｔｉｌｅ  Ｄｉｓｃ−ＲｅＷｒｉｔａｂｌｅ）等がそれである。また、ＤＶＤ−Ｒ，ＤＶＤ−ＲＷ（以下、これらを称してＤＶＤ−Ｒ／ＲＷという）とディスクの記録フォーマットの異なるＤＶＤ＋Ｒ，ＤＶＤ＋ＲＷ（以下、これらを称してＤＶＤ＋Ｒ／ＲＷという）等も普及してきている。
【０００３】
ＤＶＤ−Ｒ／ＲＷは、ディスクの平坦面（ランド）にグルーブとよばれる溝によって構成されるトラックを備えている。このグルーブはわずかに蛇行（ウォブル）して形成されており、この蛇行から、所定の周期を有するウォブル信号が取り出される。ウォブルは、ディスクの記録フォーマットに基づく所定のデータ長のデータ記録領域に対応して形成される。
【０００４】
ＤＶＤ−Ｒ／ＲＷの場合、データフォーマットとして、１フレーム（９３バイト）×２６で１セクタが構成され、記録フォーマットして、１フレームに８周期分のウォブル信号が割り当てられる。また、ＤＶＤ−Ｒ／ＲＷには、ウォブルに加えてランドプリピット（ＬＰＰ）とよばれるディスク上の物理的な位置情報（アドレス情報）が記録された領域がトラック上に所定の間隔で設けられている。このＬＰＰは、２フレームに対して１回の割合で設けられ、ＬＰＰの再生を通じて取得されるＬＰＰ信号は、基本的に、ウォブル信号の１６パルスに１〜３パルスの割合でウォブル信号に重畳される。そして、１セクタ分のＬＰＰ信号を組み合わせることによって、アドレス情報を取得することができる。
【０００５】
一方、ＤＶＤ＋Ｒ／ＲＷは、１フレーム（９３バイト）×２６で１セクタが構成され、データフォーマットとしてはＤＶＤ−Ｒ／ＲＷと同様であるが、記録フォーマットがＤＶＤ−Ｒ／ＲＷと異なり、２フレームに９３周期分のウォブル信号が割り当てられる。また、ＤＶＤ＋Ｒ／ＲＷでは、ＬＰＰが形成されず、ウォブルの蛇行成分に変調を施すことによってウォブル信号の位相を変調させ、それによってディスク上の物理的な位置情報（アドレス情報）を表すアドレスインプリグルーブ（ＡＤＩＰ）が形成される。このＡＤＩＰは、２フレームに対して１回の割合で設けられ、９３周期分のウォブル信号のうちの先頭の８周期に対して位相変調が施されることによって作り込まれる。そして、１セクタ分のＡＤＩＰを組み合わせることによって、アドレス情報を取得することができる。
【０００６】
図３は、ＤＶＤ＋Ｒ／ＲＷにおけるウォブル信号の一例を示す波形図である。同図に示す（ａ）〜（ｃ）はそれぞれウォブル信号Ａの位相が変調されている。位相変調のパターンとしては、例えば３種類が準備され、それぞれのパターンにＳＹＮＣ（同期）、ビット値「０」、ビット値「１」が対応付けられている。そして、１セクタ分のＡＤＩＰのパターンが各値と置き換えられ、アドレス情報を示すデータとなる。
【０００７】
例えば図３（ａ）がＳＹＮＣ（同期）パターン、図３（ｂ）がビット値「０」に対応するパターン、図３（ｃ）がビット値「１」に対応するパターンを示している。尚、同図において、「ＰＷ」，「ＮＷ」は、ウォブル信号Ａの位相の正，負を示しており、信号Ｂは、ウォブル信号Ａを二値化したウォブルデータを示している。
【０００８】
ところで、これらのディスク媒体を回転制御するとともに、同回転制御されるディスク媒体へレーザを照射することでこれにデータを記録する際には、この記録動作をディスク媒体の回転速度に同期した基準クロックに基づいて行うことが望ましい。このようにディスク媒体の回転速度に同期した基準クロックを用いることで、例えばディスク媒体上に記録される１ビットのデータの記録領域を一定にすることができる等、データの記録制御を的確に行うことができる。
【０００９】
このような基準クロックは、上記ウォブル信号Ａを再生して二値化し、ＰＬＬ回路を用いてそのウォブルデータＢと同期したパルス信号を生成することで取得できる。すなわち、電圧制御発振器を通じて発振制御されるクロックとウォルブデータＢとを位相比較器で位相比較し、これら２つの信号の位相差に応じた電圧を電圧制御発振器にフィードバックすることで、ウォブル信号Ａに同期した基準クロックを生成することができる。
【００１０】
【発明が解決しようとする課題】
ところで、上記のように、ウォブル中にＡＤＩＰが形成され、それによりアドレス情報を表す位相変調方式のディスク媒体では、ウォブル信号Ａの位相が反転することによって、ウォブルデータＢの周期がウォブル信号Ａ本来の周期と異なる（パルス幅が長くなる）個所が存在する（図３参照）。このため、基準クロックを生成する際に、ＰＬＬ回路が上記周期の異なる個所に追従することで、ウォブル信号Ａに正確に同期した基準クロックを精度良く生成することができないという問題があった。
【００１１】
また、こうした理由から、従来ではＬＰＰが形成されたディスク媒体（例えばＤＶＤ−Ｒ／ＲＷ等）とＡＤＩＰが形成されたディスク媒体（例えばＤＶＤ＋Ｒ／ＲＷ等）のそれぞれに対応した基準クロックを共通のＰＬＬ回路を用いて生成することはできなかった。
【００１２】
本発明はこうした実情に鑑みてなされたものであり、その目的は位相変調によってアドレス情報が記録されたウォブル信号に同期した基準クロックを精度良く生成することのできるクロック生成装置を提供することにある。
【００１３】
【課題を解決するための手段】
上記目的を達成するため、請求項１に記載の発明によれば、位相変調処理によって記録されるアドレス情報を含む所定周期のウォブル信号を取り込んで、前記ウォブル信号に同期したクロック信号を生成するクロック生成装置において、ＰＬＬ回路は、前記ウォブル信号と前記クロック信号との位相差に応じて発振クロックを生成し、該発振クロックを前記ウォブル信号に同期させて前記クロック信号として出力する。検出回路は、前記ウォブル信号を監視して前記ウォブル信号中の前記アドレス情報が含まれる期間を検出し、その検出結果に応じて前記ＰＬＬ回路の発振出力を固定させる。これにより、前記ウォブル信号に同期したクロック信号を生成する際に、前記ＰＬＬ回路が前記ウォブル信号の周期変化に追従することが防止され、前記ウォブル信号に正確に同期したクロック信号を精度良く生成することが可能である。
【００１４】
請求項２に記載の発明によれば、前記検出回路において、ホールド信号生成部は、前記検出結果に応じて、それぞれ異なる期間で前記ＰＬＬ回路の発振出力を固定する第１及び第２のホールド信号を生成する。そして、信号選択部は、前記第１及び第２のホールド信号のうち何れか一方を前記ＰＬＬ回路へ選択的に出力する。これにより、前記第１のホールド信号に対応した期間、あるいは前記第２のホールド信号に対応した期間で前記ＰＬＬ回路の発振出力が固定される。
【００１５】
請求項３に記載の発明によれば、前記第１のホールド信号は、前記ウォブル信号の周期が変化する第１のタイミングから、該第１のタイミング以降で次に前記ウォブル信号の周期が変化する第２のタイミングまでの期間で前記ＰＬＬ回路の発振出力を固定する。このような第１のホールド信号を前記ＰＬＬ回路の発振出力を固定する信号として採用した場合には、ＰＬＬ回路のホールド期間を最小限にとどめてクロック信号をウォブル信号に高速に同期させることができる。
【００１６】
請求項４に記載の発明によれば、前記第２のホールド信号は、前記ウォブル信号の周期が変化するタイミングを始点として、少なくとも前記第１のホールド信号よりも長い任意の期間で前記ＰＬＬ回路の発振出力を固定する。このような第２のホールド信号を前記ＰＬＬ回路の発振出力を固定する信号として採用した場合には、ウォブル信号の周期変化にＰＬＬ回路が追従することを確実に防止することができる。
【００１７】
請求項５に記載の発明によれば、前記ウォブル信号に応じてカウント動作し、前記ウォブル信号中の前記アドレス情報が含まれる期間を推定して同期保護信号を出力する同期保護回路をさらに備え、前記検出回路は、前記同期保護回路から出力される前記同期保護信号を第３のホールド信号として前記ＰＬＬ回路へ出力するようにした。これにより、検出回路がウォブル信号の周期変化を検出できなくなる場合にも、当該個所にＰＬＬ回路が追従することを確実に防止することができる。
【００１８】
請求項６に記載の発明によれば、前記ＰＬＬ回路は、前記ウォブル信号と前記発振クロックとの位相差に応じた位相差信号を出力する位相比較器と、前記位相差信号に応じた出力を行うチャージポンプとを備えるものであって、前記検出回路は、前記第１乃至前記第３のホールド信号の何れか一つを前記位相比較器及び前記チャージポンプの少なくとも一方に出力し、前記ＰＬＬ回路の発振出力を固定させるようにした。
【００１９】
請求項７に記載の発明によれば、前記発振クロックを所定の分周比率で分周して前記位相比較器へ出力する分周器をさらに備え、前記ウォブル信号の周期に応じて前記分周器の分周比率を変更するようにした。これにより、記録フォーマットの異なる複数のディスク媒体に各々対応するクロック信号を共通のＰＬＬ回路を用いて生成することが可能である。
【００２０】
【発明の実施の形態】
以下、本発明に係るクロック生成装置を例えばＤＶＤ＋Ｒ／ＲＷのディスク媒体に対応したデータ記録制御装置に備えられるクロック生成装置に適用した一実施形態について、図面を参照しつつ説明する。
【００２１】
本実施形態において、データ記録制御装置の記録対象となるＤＶＤ＋Ｒ／ＲＷには、同ディスク内の案内溝として機能するプリグルーブが螺旋状に形成されている。このプリグルーブには、所定周期の蛇行成分（ウォブル）が形成され、そのウォブル成分から得られるウォブル信号は、「８１７．５ＫＨｚ」の周波数を有する。また、このプリグルーブには、上記ウォブル成分に変調を施すことによって、ディスク上の物理的な位置情報を表すアドレス情報（ＡＤＩＰ）が、例えば８ウォブル周期を一単位として９３ウォブル周期毎に書き込まれている（図３（ａ）〜（ｃ）参照）。
【００２２】
図１は、データ記録制御装置におけるクロック生成装置の構成を示すブロック図である。
【００２３】
クロック生成装置１１は、検出回路１２及びＰＬＬ回路１３を含む。検出回路１２は、ディスクから読み出されて二値化されたウォブルデータを監視し、位相変調によってウォブルデータの周期がウォブル信号本来の周期と異なる（パルス幅が長くなる）個所を検出する。そして、検出結果に応じた期間にてＰＬＬ回路１３の出力を固定するホールド信号を生成する。ＰＬＬ回路１３は、同回路１３の出力信号（分周信号）と上記ウォブルデータとの位相を比較し、その位相差に応じた電圧を電圧制御発振器（ＶＣＯ）に出力してウォブル信号に同期した基準クロック（クロック信号）を生成する。
【００２４】
このＰＬＬ回路１３から出力される分周クロックは、復調回路１５に入力される。復調回路１５は、分周クロック及び上記ウォブルデータを入力し、ウォブル信号に記録されているＡＤＩＰ（ウォブル信号の位相変調部分）を検出してアドレス情報を復調する。この復調回路１５には同期保護回路１６が接続され、同期保護回路１６は、ウォブルデータに応じてカウント動作し、カウント値に基づいて各ＡＤＩＰが記録されている個所（１ＡＤＩＰ単位に相当する８ウォブル周期の期間）を推定して同期保護信号を生成する。この同期保護信号は、１ＡＤＩＰ単位に相当する８ウォブル周期の期間でＨレベルに立ち上げられ、何らかの不具合でＡＤＩＰ期間が検出できなかったとしても、ウォブルデータの２フレーム毎の区切りが判別できるように生成される。
【００２５】
まず、検出回路１２の具体的構成について詳述する。
【００２６】
検出回路１２は、ホールド信号生成部としてのモニタ部２１と、第１及び第２ＯＲゲート２２，２３と、信号選択部としての第１〜第３セレクタ２４〜２６とを備えている。
【００２７】
モニタ部２１は、ウォブル信号が二値化されたウォブルデータを監視し、位相変調されることによって同ウォブルデータ（図３に示すウォブルデータＢ）のパルス幅が長くなる個所ではＰＬＬ回路１３の出力を固定させる第１及び第２のホールド信号Ｓ１，Ｓ２を生成する。
【００２８】
ここで、第１のホールド信号Ｓ１は、９３ウォブル周期毎に記録される各ＡＤＩＰに対してウォブルデータの位相がそれぞれ反転する個所、具体的にはウォブルデータの位相が負（図３に示す「ＮＷ」）になる個所でＰＬＬ回路１３の出力を固定させる信号である。一方、第２のホールド信号Ｓ２は、少なくとも第１のホールド信号Ｓ１より長く設定され、各ＡＤＩＰに対してウォブルデータの位相が最初に反転する個所、具体的にはウォブルデータの位相が最初に負（図３に示す「ＮＷ」）になる個所から任意の期間でＰＬＬ回路１３の出力を固定させる信号である。尚、第２のホールド信号Ｓ２を出力する任意の期間は、図示しないレジスタ等に予め設定され、例えば本実施形態では、各アドレス情報が記録される８ウォブル周期（１ＡＤＩＰ単位）よりも若干長い期間に設定される。
【００２９】
今、図２に示すように、例えばＳＹＮＣパターンに相当するＡＤＩＰ（図３（ａ）参照）がモニタ部２１によって検出される場合を説明する。この場合、モニタ部２１は、ＡＤＩＰの１単位であるウォブルデータの８周期のうち、ウォブルデータの周期が異なった点（第１のタイミング）から、それ以降で次にウォブルデータの周期が異なった点（第２のタイミング）までの４ウォブル周期の期間、Ｈレベルの第１のホールド信号Ｓ１を出力する。また、モニタ部２１は、ウォブルデータの周期が異なった点（タイミング）を始点として、上記レジスタの設定に基づく例えば１０ウォブル周期の期間、Ｈレベルの第２のホールド信号Ｓ２を出力する。
【００３０】
第１ＯＲゲート２２は、モニタ部２１から出力される第１のホールド信号Ｓ１と同期保護回路１６から出力される同期保護信号Ｓ３（第３のホールド信号）との論理和を取った信号を第１セレクタ２４に出力する。第１セレクタ２４は、第１のセレクト信号ＳＥ１に応答して、上記第１のホールド信号Ｓ１と第１ＯＲゲート２２から出力される信号のうち何れか一方を選択して第３セレクタ２６に出力する。
【００３１】
第２ＯＲゲート２３は、モニタ部２１から出力される第２のホールド信号Ｓ２と同期保護回路１６から出力される同期保護信号Ｓ３（第３のホールド信号）との論理和を取った信号を第２セレクタ２５に出力する。第２セレクタ２５は、第２のセレクト信号ＳＥ２に応答して、上記第２のホールド信号Ｓ２と第２ＯＲゲート２３から出力される信号のうち何れか一方を選択して第３セレクタ２６に出力する。
【００３２】
第３セレクタ２６は、第３のセレクト信号ＳＥ３に応答して、第１及び第２セレクタ２４，２５から出力される信号のうち何れか一方を選択し、その信号をホールド信号Ｓ４としてＰＬＬ回路１３に出力する。
【００３３】
尚、上述した第１〜第３のセレクト信号ＳＥ１〜ＳＥ３は、図示しない制御回路から供給される。
【００３４】
このように構成された検出回路１２は、モニタ部２１から出力される第１のホールド信号Ｓ１、第２のホールド信号Ｓ２及び同期保護信号Ｓ３（第３のホールド信号）のうち何れか１つをホールド信号Ｓ４として出力することができる。
【００３５】
次に、ＰＬＬ回路１３の具体的構成について詳述する。
【００３６】
ＰＬＬ回路１３は、位相比較器３１と、チャージポンプ３２と、ローパスフィルタ（以下、ＬＰＦ）３３と、電圧制御発振器（以下、ＶＣＯ）３４と、分周器３５とを備えている。
【００３７】
位相比較器３１は、ウォブルデータと分周器３５から出力される分周信号とを入力し、それらの位相を比較して該位相差に応じたパルス幅を持つ位相差信号をチャージポンプ３２に出力する。チャージポンプ３２は、その位相比較器３１からの位相差信号に応じた電流をＬＰＦ３３に出力し、ＬＰＦ３３は、チャージポンプ３２の出力電流量に応じた電圧をＶＣＯ３４に出力する。ＶＣＯ３４は、ＬＰＦ３３の出力電圧に応じて発振出力し、その発振クロックを上記基準クロックとして出力する。
【００３８】
このＶＣＯ３４から出力される発振クロックは分周器３５に入力される。そして、分周器３５は、その発振クロックを所定の分周比にて分周した周波数を持つ分周信号を生成する。この分周信号は、上記位相比較器３１に一方の入力として帰還される。
【００３９】
このように構成されたＰＬＬ回路１３では、位相比較器３１からの位相差信号に基づいてチャージポンプ３２の出力電流値、ＬＰＦ３３の出力電圧値が変更され、それに応じてＶＣＯ３４の発振周波数が変更される。ＰＬＬ回路１３は、このようなフィードバック動作を繰り返し行うことにより、基準クロック（具体的にはＶＣＯ３４から出力される発振クロックの分周信号）をウォブル信号に同期させる。
【００４０】
本実施形態において、このＰＬＬ回路１３の位相比較器３１には上記検出回路１２からのホールド信号Ｓ４が入力される。位相比較器３１は、このホールド信号Ｓ４に応答してウォブル信号とＶＣＯ３４の発振クロック（の分周信号）との位相比較動作を停止する。これにより、チャージポンプ３２の電流値及びＬＰＦ３３の電圧値が一定値に維持され、ＶＣＯ３４の発振周波数は一定値に維持される。すなわち、この期間に於いて、ＰＬＬ回路１３から出力される基準クロックの周波数は一定値に固定される。
【００４１】
従って、ＰＬＬ回路１３は、基準クロックを生成する際に、ウォブルデータの周期の変化に追従することなく、該ウォブルデータに正確に同期した基準クロックを精度良く生成することができる。
【００４２】
尚、以上では、ＤＶＤ＋Ｒ／ＲＷのウォブル信号に同期した基準クロックを生成する場合について説明したが、本実施形態のクロック生成装置１１は、分周器３５の分周比を変更することによって、ディスク媒体がＤＶＤ−Ｒ／ＲＷのウォブル信号に同期した基準クロックを生成することも可能である。
【００４３】
例えば、ＤＶＤ＋Ｒ／ＲＷからのウォブルデータに応じて基準クロックを生成する場合は、８１７．５ＫＨｚのウォブルデータの２周期に対して基準クロックを３２周期割り当てて２６．１６ＭＨｚとなることから、分周器３５の分周比を「１／３２」に設定する。一方、ＤＶＤ−Ｒ／ＲＷからのウォブルデータに応じて基準クロックを生成する場合、１４０ＫＨｚのウォブルデータの２周期に対して基準クロックを１８６周期割り当てて２６．１６ＭＨｚとなることから、分周器３５の分周比を「１／１８６」に設定する。
【００４４】
以上記述した本実施形態によれば、以下の効果を奏する。
【００４５】
（１）検出回路１２は、ウォブル信号（具体的にはウォブルデータ）を監視して、該ウォブル信号の周期が異なる個所ではＰＬＬ回路１３の出力を固定させるホールド信号Ｓ４を生成する。これにより、基準クロックの生成時に、ＰＬＬ回路１３が上記ウォブル信号の周期の変化に追従することが防止される。従って、クロック生成装置１１は、ウォブル信号に正確に同期したクロックを精度良く生成することができる。
【００４６】
（２）検出回路１２は、モニタ部２１から出力されるそれぞれホールド期間の異なる２種類の第１及び第２のホールド信号Ｓ１，Ｓ２のうち、何れか一方を選択的にホールド信号Ｓ４として出力することができる。これにより、ＰＬＬ回路１３のホールド期間を変更することが可能である。すなわち、第１のホールド信号Ｓ１をホールド信号Ｓ４として採用する場合には、ＰＬＬ回路１３のホールド期間を最小限にとどめて基準クロックをウォブル信号に高速に同期させることが可能である。また、第２のホールド信号Ｓ２をホールド信号Ｓ４として採用する場合には、ウォブル信号の周期の変化にＰＬＬ回路１３が追従することを確実に防止することができる。
【００４７】
（３）検出回路１２は、各ＡＤＩＰが記録されている個所ではＰＬＬ回路１３を確実にホールドさせるようにした同期保護回路１６からの同期保護信号Ｓ３をホールド信号Ｓ４として出力することができる。これにより、モニタ部２１がウォブル信号の周期変化を検出できなくなる場合にも、当該個所にＰＬＬ回路１３が追従することを確実に防止することが可能である。
【００４８】
（４）本実施形態では分周器３５の分周比を変更することによって、記録フォーマットの異なる複数のディスク媒体（ＤＶＤ−Ｒ／ＲＷやＤＶＤ＋Ｒ／ＲＷ等）に各々対応する基準クロックを共通のＰＬＬ回路１３を用いて生成することが可能である。そして、この構成を採用することで、クロック生成装置１１の回路規模を削減することにも貢献できる。
【００４９】
尚、上記実施形態は、以下のように変更して実施してもよい。
【００５０】
・第１のホールド信号Ｓ１は、本実施形態の態様に限定されない。すなわち、第１のホールド信号Ｓ１としては、ＡＤＩＰが記録されている個所（８ウォブル周期の期間）に於いて、少なくともウォブルデータの周期がウォブル信号本来の周期と異なる個所でＰＬＬ回路１３をホールドさせることができる信号であればよい。
【００５１】
・第２のホールド信号Ｓ２は、本実施形態の態様に限定されない。すなわち、第２のホールド信号Ｓ２を出力する所定の期間は、予め設定するレジスタの内容を変更することによって、１ＡＤＩＰ単位に相当する８ウォブル周期よりも長い期間或いは短い期間等に任意に変更可能である。
【００５２】
・ＰＬＬ回路１３をホールドさせる方法は、本実施形態に限定されるものではない。例えば、検出回路１２からのホールド信号Ｓ４をチャージポンプ３２に入力することによりＰＬＬ回路１３の出力を固定させるようにしてもよい。この場合、チャージポンプ３２は、ホールド信号Ｓ４が入力される期間で位相比較器３１からの位相差信号を無視し、一定の電流値を出力するように構成される。
【００５３】
・本実施形態では、チャージポンプ３２として電流出力タイプのチャージポンプを例示したが、電圧出力タイプのチャージポンプであってもよい。
【００５４】
・本実施形態では、記録対象とするディスク媒体をＤＶＤ＋Ｒ／ＲＷとしたが、これらのディスク媒体のみに限定されるものではない。
【００５５】
【発明の効果】
以上記述したように、本発明によれば、位相変調によってアドレス情報が記録されたウォブル信号に同期した基準クロックを精度良く生成することのできるクロック生成装置を提供することができる。
【図面の簡単な説明】
【図１】データ記録制御装置に備えられるクロック生成装置の一実施形態を示すブロック図。
【図２】同実施形態において、ＳＹＮＣパターンに対応したＡＤＩＰを検出する場合の検出回路の動作例を示す波形図。
【図３】ウォブル信号の一例を示す波形図であり、（ａ）はＳＹＮＣパターン、（ｂ）はビット値「０」に対応したパターン、（ｃ）はビット値「１」に対応したパターンを示す。
【符号の説明】
Ｓ１…第１のホールド信号、Ｓ２…第２のホールド信号、Ｓ３…第３のホールド信号としての同期保護信号、Ｓ４…ホールド信号、１１…クロック生成装置、１２…検出回路、１３…ＰＬＬ回路、１６…同期保護回路、２１…ホールド信号生成部としてのモニタ部、２４〜２６…信号選択部としての第１〜第３セレクタ、３１…位相比較器、３２…チャージポンプ、３５…分周器。
【図１】
2004253057.tif 000003
【図２】
2004253057.tif 000004
【図３】
2004253057.tif 000005